(57)【要約】【課題】本発明は、被せフィルムに対して棒状飯塊が滑り難い包装シート及び該包装シートで棒状飯塊を包装してなる棒状包装飯塊を提供する。【解決手段】本発明の包装シートは、矩形の外フィルム２の内面と、内フィルム３の内面との間にシート状食品５を挟み、前記内フィルム３の外面に、前記外フィルム２の長手方向と直交するよう両端がはみ出したはみ出し部42,42を有する被せフィルム４を熱溶着して構成され、前記被せフィルム４のはみ出し部42,42により棒状飯塊７の端面を覆い、前記内フィルム３の外面側を前記棒状飯塊７に巻き付けて包装する包装シートであって、前記被せフィルム４は、凹凸の形成されたフィルムである。【選択図】図５
2014210595.tif 000002
【特許請求の範囲】
【請求項１】
矩形の外フィルム(２)の内面と、内フィルム(３)の内面との間にシート状食品(５)を挟み、前記内フィルム(３)の外面に、前記外フィルム(２)の長手方向と直交するよう両端がはみ出したはみ出し部(42)(42)を有する被せフィルム(４)を熱溶着して構成され、
前記被せフィルム(４)のはみ出し部(42)(42)により棒状飯塊(７)の端面を覆い、前記内フィルム(３)の外面側を前記棒状飯塊(７)に巻き付けて包装する包装シートであって、
前記被せフィルム(４)は、凹凸の形成されたフィルムである、
ことを特徴とする包装シート。
【請求項２】
被せフィルム(４)は、前記内フィルム(３)を幅方向に横断する１枚のフィルムである、
請求項１に記載の包装シート。
【請求項３】
被せフィルム(４)は、２枚のフィルムであって、前記内フィルム(３)の幅方向端部に夫々熱溶着され、一端がはみ出している、
請求項１に記載の包装シート。
【請求項４】
前記被せフィルム(４)は、１枚のみが凹凸の形成されたフィルムである、
請求項３に記載の包装シート。
【請求項５】
前記被せフィルム(４)は、棒状飯塊(７)の周面と対向する位置で前記内フィルム(３)に熱溶着(44)されている、
請求項１乃至請求項４の何れかに記載の包装シート。
【請求項６】
前記外フィルム(２)と前記内フィルム(３)は、前記シート状食品(５)の外周側を熱溶着(35)して一体化されており、前記外フィルム(２)は、前記熱溶着(35)よりも長手方向に沿う両端縁(25)(27)がはみ出ている、
請求項１乃至請求項５の何れかに記載の包装シート。
【請求項７】
前記外フィルム(２)のはみ出した両端縁(25)(27)は、一方の端縁(25)が他方の端縁(27)よりもはみ出し量が大きい、
請求項６に記載の包装シート。
【請求項８】
前記外フィルム(２)は、前記内フィルム(３)よりも厚手のフィルムである、
請求項６又は請求項７に記載の包装シート。
【請求項９】
前記外フィルム(２)は、長手方向に対して直交する方向に分断可能部(21)を有し、内フィルム(３)は、前記分断可能部(21)上で重なるように形成された２枚の内フィルム片(31)(32)である、
請求項１乃至請求項８の何れかに記載の包装シート。
【請求項１０】
請求項１乃至請求項９の何れかに記載の包装シート(１)によって棒状飯塊(７)を包装してなる棒状包装飯塊であって、
前記被せフィルム(４)のはみ出し部(42)(42)により棒状飯塊(７)の端面を覆い、前記内フィルム(３)の外面を前記棒状飯塊(７)に巻き付け、前記外フィルム(２)の巻き終わり端(14)にシール部材(６)を貼着して止着することで包装されている、
棒状包装飯塊。
【発明の詳細な説明】
【技術分野】
【０００１】
本発明は、外フィルムと内フィルムとの間にシート状食品を収容し、棒状飯塊を包装する包装シートと、該包装シートによって棒状飯塊を包装してなる棒状包装飯塊に関するものである
【背景技術】
【０００２】
棒状飯塊を包装シートで包装してなる棒状包装飯塊が知られている。
出願人は、外フィルム、海苔などのシート状食品、内フィルム及び棒状飯塊の端面を覆う被せフィルムからなる包装シートを提案している(例えば、特許文献１参照)。
外フィルムは、長手方向に対して直交する方向に断続的な切条を形成し、２枚の内フィルムをこの断続的な切条に重なるように配置し、包装を解く際に、この断続的な切条で外フィルムを分断することでシート状食品を露出させ、露出したシート状食品に棒状飯塊を巻き付けるものである。
【先行技術文献】
【特許文献】
【０００３】
【特許文献１】実用新案登録第３１７４９３８号公報
【発明の開示】
【発明が解決しようとする課題】
【０００４】
被せフィルムは、具材を視認し易くするために、凹凸のない透明なフィルムで形成されている。このため、棒状包装飯塊を縦置きしておくと、被せフィルムに対して棒状飯塊が下向きに滑って移動してしまうことがある。その結果、縦置きの際に上側となる被せフィルムに弛みが生じ、見た目が悪くなってしまう。また、さらに棒状飯塊が下向きに移動してしまうと、包装から飛び出したり脱落してしまうこともある。
【０００５】
本発明の目的は、被せフィルムに対して棒状飯塊が滑り難い包装シート及び該包装シートで棒状飯塊を包装してなる棒状包装飯塊を提供することである。
【課題を解決するための手段】
【０００６】
上記課題を解決するために、本発明の包装シートは、
矩形の外フィルム(２)の内面と、内フィルム(３)の内面との間にシート状食品(５)を挟み、前記内フィルム(３)の外面に、前記外フィルム(２)の長手方向と直交するよう両端がはみ出したはみ出し部(42)(42)を有する被せフィルム(４)を熱溶着して構成され、
前記被せフィルム(４)のはみ出し部(42)(42)により棒状飯塊(７)の端面を覆い、前記内フィルム(３)の外面側を前記棒状飯塊(７)に巻き付けて包装する包装シートであって、
前記被せフィルム(４)は、凹凸の形成されたフィルムである。
【０００７】
本発明に係る棒状包装飯塊は、
上記に記載の包装シート(１)によって棒状飯塊(７)を包装してなる棒状包装飯塊であって、
前記被せフィルム(４)のはみ出し部(42)(42)により棒状飯塊(７)の端面を覆い、前記内フィルム(３)の外面を前記棒状飯塊(７)に巻き付け、前記外フィルム(２)の巻き終わり端(14)にシール部材(６)を貼着して止着することで包装されている。
【発明の効果】
【０００８】
本発明の包装シート(１)及び該包装シート(１)で包装した棒状包装飯塊(８)によれば、被せフィルム(４)は、凹凸の形成されたフィルムであるから、棒状飯塊(７)に対して滑り難い。従って、棒状包装飯塊(８)を縦置きしても棒状飯塊(７)が下向きに移動して飛び出したり脱落することはない。また、被せフィルム(４)に皺や弛みが生じ難いから、具材等の視認も容易である。
【図面の簡単な説明】
【０００９】
【図１】図１は、本発明の包装シートを内フィルム側から見た分解斜視図である。
【図２】図２は、内フィルムと被せフィルムを溶着した状態を示す斜視図である。
【図３】図３は、本発明の包装シートに棒状飯塊を載せた状態を示す斜視図である。
【図４】図４は、図３の線Ａ−Ａに沿う包装シートの断面図である。
【図５】図５は、本発明の包装シートで棒状飯塊を包装してなる棒状包装飯塊を縦向きに置いた状態を示す斜視図である。
【図６】図６は、カットテープを引っ張って外フィルムを分断している状態を示す斜視図である。
【図７】図７は、図６の後、包装シートを展開している状態を示す斜視図である。
【図８】図８は、図７の後、さらに包装シートを展開している状態を示す斜視図である。
【図９】図９は、包装シートを引っ張ってシート状食品の一部を露出させた状態の斜視図である。
【図１０】図１０は、残る包装シートを引っ張り、シート状食品を棒状飯塊に巻き付けている状態を示す斜視図である。
【図１１】図１１は、本発明の包装シートの被せフィルムの異なる実施例を示す斜視図である。
【発明を実施するための最良の形態】
【００１０】
本発明の包装シート(１)は、図１に示すように、外フィルム(２)の内面と内フィルム(３)の内面との間に、シート状食品(５)を挟んで構成され、内フィルム(３)の外側、即ち、棒状飯塊(７)と当接する面に、棒状飯塊(７)(図３参照)の端面(72)(74)を覆う被せフィルム(４)を熱溶着して構成される。着目すべきは、被せフィルム(４)として凹凸のあるフィルムを採用したことにある。
【００１１】
外フィルム(２)は、図１に示すように矩形のフィルムを例示できる。外フィルム(２)は、内フィルム(３)よりも厚手のフィルム、たとえば、２５μｍ以上の厚さのフィルムを使用することが好適である。外フィルム(２)には、長手方向に対して直交する幅方向に、外フィルム(２)を幅方向に沿って分断することのできる分断可能部(21)が形成されている。分断可能部(21)として、外フィルム(２)の内面にカットテープ(22)を貼着や熱溶着したもの、ミシン目の如き断続的な切条を形成したもの、幅方向に容易に切断できる方向性フィルムを用いたもの、などを例示することができる。なお、分断可能部(21)として、ミシン目の如き断続的な切条を採用する場合、切条から湿気や異物が混入することを防ぐために、切条を覆う細幅のフィルムを分断可能部(21)に沿って熱溶着等しておくことが望ましい。
【００１２】
図示の実施形態では、分断可能部(21)は、カットテープ(22)を貼着したものであり、カットテープ(22)に沿う幅方向の一端又は両端には、分断を容易に行なうための短い切込み(23)(23)が形成されている。
【００１３】
シート状食品(５)は、海苔を例示でき、その他、シート状に形成されたおぼろ昆布、鯣など、薄手の食品であれば特に限定されるものではない。
シート状食品(５)は、後述するとおり、外フィルム(２)と内フィルム(３)とを熱溶着(35)したときに、その熱溶着部(35)よりも内側に配置される大きさに形成される。より具体的には、シート状食品(５)は、幅が棒状飯塊(７)の長さＬと略一致し、長さは、少なくとも棒状飯塊(７)を一周する形状である。
【００１４】
内フィルム(３)は、矩形の２枚のフィルム片(31)(32)から構成することができ、外フィルム(２)の分断可能部(21)の上で重なるように形成される。なお、内フィルムのフィルム片(31)(32)どうしの重なり部分は単に重なっているだけでもよいし、簡単に剥離するようスポット的に熱溶着(溶着)を施してもよい。また、内フィルム(３)は、１枚のフィルムから構成し、外フィルム(２)の分断可能部(21)と重なる位置にミシン目の如き断続的な切条を形成し、分断可能となったものであってもよい。なお、ミシン目の如き断続的な切条を採用する場合、切条から湿気や異物が混入することを防ぐために、切条を覆う細幅のフィルムを切条に沿って熱溶着等しておくことが望ましい
【００１５】
本実施例では、内フィルム(３)を構成するフィルム片(31)(32)は、外フィルム(２)の分断可能部(21)上で重なり部を有すると共に、重ねた状態でフィルム片(31)(32)は、長さ方向の端縁が外フィルム(２)の端縁に略一致するよう形成している。
【００１６】
また、内フィルム(３)の幅方向の長さは、外フィルム(２)の幅方向の長さよりも短くしている。より具体的には、内フィルム(３)の幅方向の長さは、内フィルム(３)と外フィルム(２)との熱溶着部(35)とほぼ一致またはこれよりも少し幅方向にはみ出た部分までとしている。なお、内フィルム(３)の幅方向の長さは、外フィルム(２)と略一致する長さとしても構わない。
【００１７】
被せフィルム(４)は、図１及び図２に示すように、凹凸を有するフィルムから形成される。この種のフィルムとして、フィルムに熱や圧力を加えて凹凸を形成するエンボス加工の施されたフィルムを例示することができる。また、被せフィルム(４)に形成される凹凸は、被せフィルム(４)が棒状飯塊(７)を覆ったときに、被せフィルム(４)が棒状飯塊(７)の周面と対向する位置の全部又はその一部に設けていればよい。
【００１８】
図示の実施例では、被せフィルム(４)は、１枚のフィルムから形成しており、図２に示すように、内フィルム(３)の外面に熱溶着(44)(44)され、外フィルム(２)の長手方向と直交するよう両端が幅方向にはみ出したはみ出し部(42)(42)を有している。はみ出し部(42)(42)は、棒状飯塊(７)を包装したときに、棒状飯塊(７)の端面(72)(74)を余裕をもって覆うことができる大きさとする。
【００１９】
被せフィルム(４)は、棒状飯塊(７)への巻き始め端(12)となる内フィルム(３)のフィルム片(31)に熱溶着(44)により接合している。熱溶着(44)は、棒状飯塊(７)の周面と対向する内側部分に施すことが好適である。望ましくは、棒状飯塊(７)の長さをＬとしたときに、熱溶着部(44)(44)どうしの間隔は、Ｌよりも１０ｍｍ〜３０ｍｍ短くなる、即ち、夫々の熱溶着部(44)(44)が棒状飯塊(７)の端面(72)(74)よりも内側に５ｍｍ〜１５ｍｍ入った位置に形成されることが望ましい。なお、熱溶着部(44)(44)は、棒状飯塊(７)の端面と略一致する位置、即ち熱溶着部(44)(44)どうしの間隔がＬとなるように施すこともできる。
【００２０】
熱溶着(44)(44)は、図示の例では線溶着であるが、１又は複数の点溶着であってもよい。
【００２１】
上記の如く、被せフィルム(４)を接合した内フィルム(３)と、外フィルム(２)の内側にシート状食品(５)を載置し、図３に示すように、シート状食品(５)の周縁に沿って、外フィルム(２)と内フィルム(３)とを連続的に又は断続的に熱溶着(35)等により接合する。
【００２２】
本発明の一実施形態として、内フィルム(３)の幅方向長さを外フィルム(２)よりも短くした場合、内フィルム(３)は、外フィルム(２)の幅方向の中央に配置することもできるが、外フィルム(２)の内フィルム(３)からはみ出す端縁は、一方の端縁(25)を他方の端縁(27)よりもはみ出し量が大きくなるようにすることが望ましい。理由は後述する。外フィルム(２)のはみ出し量は、一方の端縁(25)が１０〜１５ｍｍ、他方の端縁(27)が１０ｍｍ以下とすることが望ましく、図示の例では、端縁(25)は１２ｍｍ、端縁(27)は７ｍｍである。なお、外フィルム(２)と内フィルム(３)の幅方向の長さが同じである場合であっても、熱溶着(35)等はずらすことができるし、同じ間隔とすることもできる。
【００２３】
また、図示の例では、シート状食品(５)は長手方向の長さが外フィルム(２)よりも短く形成されているため、シート状食品(５)がズレないように１又は複数箇所で点溶着(37)している。
【００２４】
接合された外フィルム(２)の長手方向端部には、巻き始め端(12)となる被せフィルム(４)とは反対側の端部に、包装後に包装シート(１)の巻き終わり端(14)を止着するシール部材(６)を貼着する。シール部材(６)は、外フィルム(２)と対向する面に糊などの接着剤が塗布されており、シール部材(６)は、外フィルム(２)の長手方向端部から一部がはみ出すように外フィルム(２)に貼着される。なお、シール部材(６)は、棒状飯塊(７)を包装した後に貼着するようにしてもよい。
【００２５】
外フィルム(２)の巻き始め端(12)となる端部には、包装を解く際に巻き始め端(12)を棒状飯塊(７)から引き離すために掴むことのできる目印(62)を取り付けることができる。目印(62)は、接着や貼着により外フィルム(２)に取り付けることができ、図示の実施例では、引き離し方向を示す矢印からなる図柄(64)が付されている。
【００２６】
包装シート(１)は、上記により構成され、棒状飯塊(７)を包装する。
【００２７】
棒状飯塊(７)は、白米の塊、具材(78)を巻いたもの、かやくご飯などを棒状に固めたものであり、図示の実施例では断面略円形としている。
【００２８】
本発明の包装シート(１)を用いて棒状飯塊(７)を包装するには、図３に示すように、内フィルム(３)側を上向きにして、巻き始め端(12)側の端部近傍に棒状飯塊(７)を載せる。なお、被せフィルム(４)が内フィルム(３)を幅方向に横断するように形成されている場合には、被せフィルム(４)の上に棒状飯塊(７)を載せることとなる。
【００２９】
次に、被せフィルム(４)のはみ出し部(42)(42)を図３中矢印Ｂで示すように、棒状飯塊(７)の端面(72)(74)に被せて夫々内側に折り返す。このとき、被せフィルム(４)は、棒状飯塊(７)の端面(72)(74)よりも内側で内フィルム(３)のみに熱溶着した構成とすることで、はみ出し部(42)(42)は外フィルム(２)を引っ張ることはなく、また、被せフィルム(４)のはみ出し部(42)(42)により棒状飯塊(７)の端部(72)(74)を包んだときの皺を発生し難くすることができる。
【００３０】
次に、図５も示すように、包装シート(１)を棒状飯塊(７)の周面に巻き付ける。このとき、巻き始め端(12)の目印(62)は、内フィルム(３)側に巻き込まないように、外フィルム(２)側に折り返しておくことが望ましい。包装シート(１)を棒状飯塊(７)に巻き付けた後、巻き終わり端(14)となる包装シート(１)の端部をシール部材(６)により止着することで、包装シート(１)により棒状飯塊(７)が包装された棒状包装飯塊(８)を得ることができる。
【００３１】
得られた棒状包装飯塊(８)は、被せフィルム(４)に凹凸を有するフィルムを採用しているから、棒状飯塊(７)が被せフィルム(４)に対して滑り難い。従って、包装後に被せフィルム(４)に皺や弛みが生じ難く、輸送や陳列を経ても、美しい包装形態を維持できる。被せフィルム(４)に皺や弛みがないから、具材(78)の視認も容易である。
【００３２】
また、棒状飯塊(７)が被せフィルム(４)に対して滑り難いから、棒状包装飯塊(８)を縦置きで陳列している場合であっても、棒状飯塊(７)が下向きに移動して、包装が緩んだり、棒状飯塊(７)が飛び出したり脱落することはない。
【００３３】
本実施形態では、棒状包装飯塊(８)は、被せフィルム(４)を棒状飯塊(７)の周面と対向する位置で内フィルム(３)に熱溶着した構成としている。従って、さらに被せフィルム(４)に皺や弛みを生じ難くすることができ、被せフィルム(４)を通して具材(78)をより容易に確認することができる。
【００３４】
なお、外フィルム(２)を内フィルム(３)よりも厚手のフィルムとすることで、陳列の際に棒状包装飯塊(８)を図５に示すように縦向きで立て置くことができる。これにより、棒状包装飯塊(８)を手に取らずとも上から視認することで具材(78)を確認できる。また、寝かせた状態(横向き)で陳列する場合に比べて、陳列台との接触面積を小さくすることができるから、衛生面でもすぐれる。
【００３５】
加えて、外フィルム(２)のはみ出した両端縁(25)(27)は、一方の端縁(25)を他方の端縁(27)よりもはみ出し量を大きくしているから、はみ出し量の大きい端縁(25)を下向きに陳列したときに、陳列台からシート状食品(５)や棒状飯塊(７)の端面(72)までの隙間を大きくすることができる。これにより、例え陳列台が濡れていたり汚れていても、シート状食品(５)や棒状飯塊(７)が濡れてしまう等はない。なお、両方の端縁(25)(27)のはみ出し量を共に大きく採らない理由として、他方の端縁(27)は、陳列の際に上向きとなるから、斜め方向から棒状包装飯塊(８)を視認したときに、外フィルム(２)を介さずとも具材(78)を確認できるようにするためである。また、端縁(25)(27)の長さを変えることで、陳列の際に上下を容易に確認できる利点もある。加えて、一方の端縁(27)を短くすることで、少しでもフィルム使用量を減らし、棒状包装飯塊(８)の大きさを小さくすることができる。
【００３６】
また、外フィルム(２)を内フィルム(３)よりも厚手のフィルムとすることで、外フィルム(２)と内フィルム(３)の両方を厚手のフィルムとした場合に比べて棒状飯塊(７)への巻き付けを容易に行なうことができる。さらに、外フィルム(２)を厚手としたことで、棒状包装飯塊(８)の製造、輸送、陳列、販売、或いは消費者が購買した後の何れの過程においても、包装棒状飯塊(７)をしっかりとした形で保持することができ、また、外フィルム(２)の破損を防ぐことができるから、異物等の混入も防止できる。これは、食品衛生上、極めて有用である。
【００３７】
なお、外フィルム(２)に対して内フィルム(３)を幅狭とすることで、内フィルム(３)の使用量を少なくすることができる利点もある。
【００３８】
上記棒状包装飯塊(８)の包装を解くには、まず、図６に示すように、外フィルム(２)の切込み(23)(23)側からカットテープ(22)の端部を摘んで、外フィルム(２)を幅方向に分断する。
【００３９】
続いて、シール部材(６)を剥がして、図７に示すように、包装シート(１)を巻き終わり端(14)側から展開する。
【００４０】
その後、図８に示すように、巻き始め端(12)の目印(62)を摘んで、巻き始め端(12)側を少し展開すると、棒状飯塊(７)の一部が露出し、これに伴って、被せフィルム(４)は、はみ出し部(42)(42)が外向きに開く。
【００４１】
この状態で巻き始め端(12)側の包装シート(１)を棒状飯塊(７)を掴むように外側から握り、巻き終わり端(14)側の包装シート(１)を図中矢印αで示すように引っ張ると、図９に示すように、包装シート(１)は、巻き終わり端(14)側の既に分断された外フィルム(２)とこれに熱溶着(35)された内フィルム(３)のフィルム片(32)が一緒に引き出されて、シート状食品(５)の略半分が露出する。
【００４２】
その次に、露出したシート状食品(５)の上に棒状飯塊(７)を転がし、シート状食品(５)の上から棒状飯塊(７)を掴みつつ、図１０中矢印βで示すように残りの外フィルム(２)と内フィルム(３)のフィルム片(31)を引っ張ることで、シート状食品(５)が完全に包装シート(１)から引き出される。その後、シート状食品(５)を棒状飯塊(７)に巻き付ければよい。
【００４３】
上記のように、本発明の包装シート(１)によれば、少ないステップで、手を汚すことなく簡単に包装シート(１)を解き、棒状飯塊(７)にシート状食品(５)を巻き付けることができ、これを食することができる。
【００４４】
上記説明は、本発明を説明するためのものであって、特許請求の範囲に記載の発明を限定し、或いは範囲を限縮するように介すべきではない。また、本発明の各部構成は、上記実施例に限らず、特許請求の範囲に記載の技術的範囲内で種々の変形が可能であることは勿論である。
【００４５】
たとえば、図１１に示すように、被せフィルム(４)は、はみ出し部分(42)(42)が形成されるように、凹凸を有する２枚のフィルム(44)(44a)を別々に内フィルム(３)に接合するようにしてもよい。
【００４６】
また、この場合、被せフィルム(４)は、一方のフィルム(44)、望ましくは、棒状包装飯塊(８)を縦置きしたときに上側となるフィルムは透明の凹凸のないフィルムとし、他方のフィルム(44a)、即ち、縦置きにしたときに下側となるフィルムのみを凹凸のあるフィルムとすることもできる。こうすることで、棒状包装飯塊(８)を縦置きしたときに、透明の凹凸のないフィルム(44)が上側となっているから具材を視認し易く、また、下側の凹凸のあるフィルム(44a)によって棒状飯塊(７)の滑りを防ぐことができる利点がある。
【００４７】
なお、外フィルム(２)や内フィルム(３)の構成は上記実施形態に限定されるものではなく、外フィルム(２)の分断手法も上記に限られるものではないことは勿論である。たとえば、上記した図１１に示すように、被せフィルム(４)を２枚のフィルム(44)(44a)から形成する場合において、外フィルム(２)及び内フィルム(３)は、長手方向と平行な向きに分断可能とすることもできる。
その他、棒状飯塊(７)は断面略円形でなく、例えば断面を正方形等の矩形や三角形としてもよい。
【産業上の利用可能性】
【００４８】
本発明は、被せフィルムに対して棒状飯塊が滑り難い包装シート及び該包装シートで棒状飯塊を包装してなる棒状包装飯塊として有用である。
【符号の説明】
【００４９】
(１)  包装シート
(２)  外フィルム
(25)  端縁
(27)  端縁
(３)  内フィルム
(35)  熱溶着(外フィルムと内フィルム)
(４)  被せフィルム
(42)  はみ出し部
(44)  熱溶着(内フィルムと被せフィルム)
(５)  シート状食品
(７)  棒状飯塊
(８)  棒状包装飯塊
【図１】
2014210595.tif 000003
【図２】
2014210595.tif 000004
【図３】
2014210595.tif 000005
【図４】
2014210595.tif 000006
【図５】
2014210595.tif 000007
【図６】
2014210595.tif 000008
【図７】
2014210595.tif 000009
【図８】
2014210595.tif 000010
【図９】
2014210595.tif 000011
【図１０】
2014210595.tif 000012
【図１１】
2014210595.tif 000013